【手続補正書】
【提出日】平成25年6月12日(2013.6.12)
【手続補正１】
【補正対象書類名】特許請求の範囲
【補正対象項目名】全文
【補正方法】変更
【補正の内容】
【特許請求の範囲】
【請求項１】
テープ状部材に所定の処理を行うために設けられたテープ処理部に対し、
前記テープ状部材を、テープコアに巻回してなるテープ体から繰り出して搬送するための前記テープ状部材の搬送経路を、所定の位置に維持するテープ経路維持機構であって、
前記テープ状部材の繰出し開始点における前記テープ体の法線方向に沿って延在し、前記テープコアを回転自在に軸支すると共に、前記テープ体の前記法線方向への移動を許容する軸受部と、
前記テープ状部材の繰り出しに伴って縮径する前記テープ体の前記法線方向への移動に対し、前記繰出し開始点を所定の位置に維持する繰出し開始点維持手段と、を備えたことを特徴とするテープ経路維持機構。
【請求項２】
前記テープコアは水平軸を中心に回転し、且つ、前記テープ状部材は前記テープ体の鉛直方向下側から繰り出され、
前記繰出し開始点維持手段は、自重により移動する前記テープ体を所定の位置で受けるテープ受け部を有していることを特徴とする請求項１に記載のテープ経路維持機構。
【請求項３】
請求項１または２に記載のテープ経路維持機構を、カートリッジケースに設けたことを特徴とするテープカートリッジ。
【請求項４】
請求項３に記載のテープカートリッジと、
インクリボンを巻回したリボンコア、および繰り出したインクリボンを巻き取る巻取りコアをリボンケースに収容したリボンカートリッジと、
前記テープ処理部に設けられ、前記テープ体から前記テープ状部材を繰り出して下流へと送りながら、前記テープ状部材に所定の印刷処理を行う印刷手段と、
前記テープカートリッジと前記印刷手段との間であって、前記リボンカートリッジから露出する前記インクリボンから外れた位置に配設され、繰り出された前記テープ状部材の有無を検出する光電検出手段と、を備えたことを特徴とするテープ印刷装置。
【請求項５】
前記光電検出手段の検出子側には、前記検出を許容すると共に前記検出子と前記テープ状部材との距離が一定となるように、前記テープ状部材が摺接する摺接部材が配設されていることを特徴とする請求項４に記載のテープ印刷装置。
【請求項６】
前記摺接部材は、前記検出子の光路となる開口部を有し、
前記開口部には、前記検出子と前記テープ状部材との間隙を一定に保つ略半球形状のカバーが配設されていることを特徴とする請求項５に記載のテープ印刷装置。
【請求項７】
テープ状部材に所定の処理を行うために設けられたテープ処理部に対し、
前記テープ状部材を、テープコアに巻回してなるテープ体から繰り出して搬送するための前記テープ状部材の搬送経路を、所定の位置に維持するテープ経路維持方法であって、
前記テープ状部材の繰出し開始点における前記テープ体の法線方向に沿って延在すると共に、前記テープコアを回転自在に軸支する軸受部により、
前記テープ状部材の繰り出しに伴って縮径する前記テープ体の前記法線方向への移動を許容して、前記繰出し開始点を所定の位置に維持することを特徴とするテープ経路維持方法。
【手続補正２】
【補正対象書類名】明細書
【補正対象項目名】発明の名称
【補正方法】変更
【補正の内容】
【発明の名称】テープ経路維持機構、テープカートリッジ、テープ印刷装置およびテープ経路維持方法
【手続補正３】
【補正対象書類名】明細書
【補正対象項目名】０００１
【補正方法】変更
【補正の内容】
【０００１】
本発明は、テープ状部材を、テープコアに巻回してなるテープ体から繰り出して搬送するためのテープ状部材の搬送経路を、所定の位置に維持するテープ経路維持機構、テープカートリッジ、テープ印刷装置およびテープ経路維持方法に関する。
【手続補正４】
【補正対象書類名】明細書
【補正対象項目名】０００５
【補正方法】変更
【補正の内容】
【０００５】
本発明は、テープ体から繰り出したテープ状部材の搬送経路を適切な位置に維持することができると共に、テープ体とテープ処理部との距離を短縮することができるテープ経路維持機構、テープカートリッジ、テープ印刷装置およびテープ経路維持方法を提供することを課題とする。
【手続補正５】
【補正対象書類名】明細書
【補正対象項目名】０００６
【補正方法】変更
【補正の内容】
【０００６】
本発明のテープ経路維持機構は、テープ状部材に所定の処理を行うために設けられたテープ処理部に対し、テープ状部材を、テープコアに巻回してなるテープ体から繰り出して搬送するためのテープ状部材の搬送経路を、所定の位置に維持するテープ経路維持機構であって、テープ状部材の繰出し開始点におけるテープ体の法線方向に沿って延在し、テープコアを回転自在に軸支すると共に、テープ体の法線方向への移動を許容する軸受部と、テープ状部材の繰り出しに伴って縮径するテープ体の法線方向への移動に対し、繰出し開始点を所定の位置に維持する繰出し開始点維持手段と、を備えたことを特徴とする。
また、本発明のテープ経路維持方法は、テープ状部材に所定の処理を行うために設けられたテープ処理部に対し、テープ状部材を、テープコアに巻回してなるテープ体から繰り出して搬送するためのテープ状部材の搬送経路を、所定の位置に維持するテープ経路維持方法であって、テープ状部材の繰出し開始点におけるテープ体の法線方向に沿って延在すると共に、テープコアを回転自在に軸支する軸受部により、テープ状部材の繰り出しに伴って縮径するテープ体の法線方向への移動を許容して、繰出し開始点を所定の位置に維持することを特徴とする。
【手続補正６】
【補正対象書類名】明細書
【補正対象項目名】０００７
【補正方法】変更
【補正の内容】
【０００７】
これらの構成によれば、テープ体は、テープ状部材の繰り出しに伴い巻径が小さくなるに従って、軸受部にガイドされて、テープ体の法線方向に移動する。これにより、巻径が小さくなること（縮径）に伴いテープ状部材の繰出し開始点が一定に保たれる。すなわち、繰出し開始点からテープ処理部までのテープ状部材の搬送経路が変化することがなく、当該搬送経路を一定に維持することができる。また、テープ体からテープ処理部までの間に搬送経路を一定にガイドするための部材を設ける必要がないため、搬送経路を短くすることができる。
このように、テープ状部材の搬送経路を一定にすることにより、繰出し開始点からテープ処理部までの空間がデッドスペースとなることがなく、小型化に資すると共に、内部機構の配置の自由度を確保することが容易となる。また、搬送経路を変更または規制するための部材を設ける必要がなく、搬送経路を単純化することができるため、テープ詰り等の不具合の発生を防止することができる。
【手続補正７】
【補正対象書類名】明細書
【補正対象項目名】００１５
【補正方法】変更
【補正の内容】
【００１５】
この構成によれば、テープ状部材と摺接部材とが摺接しているため、搬送経路に関わらず、テープ状部材と光電検出手段との距離が変わることがない。これにより、搬送中のテープ状部材が、搬送経路上において僅かに揺らぐ場合であっても、テープ状部材と光電検出手段との間隔を一定に保つことができ、確実、且つ、安定したテープ状部材の検出を担保することができる。
またこの場合、摺接部材は、検出子の光路となる開口部を有し、開口部には、検出子とテープ状部材との間隙を一定に保つ略半球形状のカバーが配設されていることが好ましい。
【手続補正８】
【補正対象書類名】明細書
【補正対象項目名】００１８
【補正方法】変更
【補正の内容】
【００１８】
図１ないし図４を参照して、テープ印刷装置１について説明する。図１は、テープ印刷装置１の外観斜視図である。図２は、テープ印刷装置１の蓋ケース１３を開放し、テープカートリッジ１２およびリボンカートリッジ１５を装着した状態の外観斜視図である。図３は、テープ印刷装置１の蓋ケース１３を開放し、テープカートリッジ１２およびリボンカートリッジ１５を取り外した状態の外観斜視図である。図４（ａ）は、テープ印刷装置１の断面図、図４（ｂ）は、第１摺接部材２５の変形例の断面図である。なお、以下の説明では、各図に示すように上下および前後左右を規定する。
【手続補正９】
【補正対象書類名】明細書
【補正対象項目名】００２５
【補正方法】変更
【補正の内容】
【００２５】
テープ検出機構２４は、いわゆる反射型のフォトセンサーであり、テープカートリッジ１２とテープ搬送機構２２との間に設けられた第１摺接部材２５に組み込まれた第１光電素子２６と、カッター機構２３の前方のシート排出口２０に設けられた第２摺接部材２７に組み込まれた第２光電素子２８と、を有している。なお、請求項に言う「光電検出手段」とは、第１光電素子２６および第２光電素子２８を指す。